(57)【要約】【課題】くし板と移動踏段との隙間に存在する異物を除去することができるエスカレーターのくし板を提供することを目的とする。【解決手段】エスカレーター１のくし板４に支点５、バネ７、電磁石６Ａおよび鉄片６Ｂを設け、上下に自動開閉できる構造とした。また、電磁石６Ａを断続的に付勢、消勢を繰り返すことで、くし板４を振動できる構造とした。【選択図】図２
2014213948.tif 000002
【特許請求の範囲】
【請求項１】
一方の乗降床から他方の乗降床にかけて無端状に連結され、その踏面に多数のクリート溝を有する踏板と、前記乗降床の先端部に固定される根元部と前記クリート溝に噛み合う多数の歯先部を有するくし板を備えたエスカレーターに用いられものであって、
前記くし板に設けられた被吸着子と、前記乗降床に設けられ付勢されると前記被吸着子を吸着する吸着素子とで構成され、通常時は前記吸着素子を付勢し、あらかじめ設定した条件の成立時に前記吸着素子を消勢することで前記くし板を上方向に開放することを特徴とするエスカレーターのくし板。
【請求項２】
請求項１の記載において、前記吸着素子を断続的に付勢、消勢を繰り返すことにより前記くし板を振動させることを特徴とするエスカレーターのくし板。
【請求項３】
請求項１の記載において、前記吸着素子は電磁石であり、前記被吸着子は磁性体であることを特徴とするエスカレーターのくし板。
【発明の詳細な説明】
【技術分野】
【０００１】
本発明はエスカレーターの移動踏段と昇降口との間に設けられるエスカレーターのくし板に関する。
【背景技術】
【０００２】
従来のエスカレーターにおいては、移動踏段上のゴミ等の異物を自動的に除去するためにくし板にブラシを設けることが知られている（特許文献１参照）。
【先行技術文献】
【特許文献】
【０００３】
【特許文献１】特開２０００−１２８４７４号公報（段落０００６、図２）
【発明の概要】
【発明が解決しようとする課題】
【０００４】
従来技術のように、くし板にブラシを設ける方法では、ブラシが摩耗した場合、その都度ブラシを交換する必要があり、また、くし板と移動踏段との隙間よりも大きな包み紙等の異物を自動除去するという目的を達しない。
【０００５】
本発明は上記のような課題を解決するためになされたもので、くし板と移動踏段との隙間より大きな異物を自動除去することができるエスカレーターのくし板を提供することを目的とする。
【課題を解決するための手段】
【０００６】
上記課題を解決するために、本発明は、一方の乗降床から他方の乗降床にかけて無端状に連結され、その踏面に多数のクリート溝を有する踏板と、前記乗降床の先端部に固定される根元部と前記クリート溝に噛み合う多数の歯先部を有するくし板を備えたエスカレーターにおいて用いられ、前記くし板に設けられた被吸着子と、前記乗降床に設けられ、付勢されると前記被吸着子を吸着する吸着素子とで構成され、通常時は前記吸着素子を付勢し、あらかじめ設定した条件の成立時に前記吸着素子を消勢することで前記くし板を上方向に開放することを特徴とする。
【０００７】
また、本発明は、前記吸着素子を断続的に付勢、消勢を繰り返すことにより前記くし板を振動させることを特徴とする。
【０００８】
また、本発明は、前記吸着素子は電磁石であり、前記被吸着子は磁性体であることを特徴とする。
【０００９】
上記のように構成したことにより、エスカレーターのくし板を上下に自動開閉することが可能となる。また、この開閉動作を連続して行なうことが可能となる。
【発明の効果】
【００１０】
上記のように構成された本発明によると、くし板と移動踏段との境界にくし板と移動踏段の隙間より大きな異物が付着した場合、くし板を開き、異物を機器室内に運び込んで落下させ除去することができる。また、開閉動作を連続して行なうことにより前記の動作にて除去できなかった大きな異物を跳ね上げて除去することができる。
【図面の簡単な説明】
【００１１】
【図１】本発明によるくし板を備えたエスカレーターの要部斜視図である。
【図２】図１のＡ−Ａ線に沿う断面図で、平常状態を示す断面図である。
【図３】図１のＡ−Ａ線に沿う断面図で、くし板開放状態を示す断面図である。
【図４】本発明によるくし板の開放を行なうための構成を示すブロック図である。
【発明を実施するための形態】
【００１２】
以下、本発明の一実施の形態を図１〜図４を用いて説明する。図１はエスカレーター１の一方の乗降口付近を斜上方から見た図であり、エスカレーター１は、それの一方の乗降床２から他方の乗降床（図示せず）にかけて無端状に連結され、その踏面３Ａに多数のクリート溝３Ｂを有して移動する踏板３と、乗降床２の先端部２Ａに固設される根元部４Ａとクリート溝３Ｂに噛み合う多数の歯先部４Ｂを有するくし板４を備えている。
【００１３】
ここで、くし板４は、図１のＡ−Ａ線に沿う断面図である図２に示すように、乗降床２の先端部２Ａの平坦斜面２Ｂに支点５を軸として回動可能なように設けられる根元部４Ａと、これに連なる多数の凹凸からなる歯先部４Ｂとを有し、これが横幅寸法で１００ｍｍ程度に分割された形で乗降床２と踏板３の横幅全体に渡って複数個連続して配設されている。また、平坦斜面２Ｂには電磁石６Ａおよびコイルばね７を設け、コイルばね７は、くし板４を上方向に回動させる方向に反発力を有する。くし板４には鉄片６Ｂが設けられおり、電磁石６Ａに内蔵する図示しない電磁コイルが付勢されると、鉄片６Ｂに対し下方向に引き寄せる吸引力を及ぼす。この吸引力は、コイルばね７の反発力よりも大きくなるように設定しているので、電磁石６Ａの電磁コイルを付勢すると鉄片６Ｂに対する吸引力によりくし板４は図２に示すように平常の場所に位置される。また、電磁石６Ａの電磁コイルを消勢するとコイルばね７の反発力のみが残るので、図３に示すようにくし板４は上方向に開放した状態に位置される。
【００１４】
くし板４の開放により、図２では踏板３上に溜まっていた踏板３とくし板４の隙間より大きなゴミ９は、図３におけるくし板４の開放状態ではゴミ９は踏板３の矢印１０の方向へ送られ図示しない機械室に搬送される。また、屈曲可能な材質で構成するカバー８により乗降床２とくし板４の間にできる隙間にゴミ等の異物が蓄積することを防止できる。
【００１５】
また、電磁石６Ａのコイルを断続的に付勢、消勢を繰り返すことで、くし板４に振動を与えることができ、この動作によりくし板４と踏段３との隙間より大きな異物（例、空き缶、紙くず等）を自動的に跳ね上げてくし板３近辺より除去することが可能となる。
【００１６】
また、乗客が利用中にくし板４を開放することは危険であるため、図４のブロック図に示すように、エスカレーター１に乗車している乗客を検知する乗客検出手段９からの検出信号を判定手段１０にて確認しエスカレーター１が無人であることを判定すると、清掃指令手段１１より電磁石６Ａのコイルを付勢するようにしているので、エスカレーター１が無人状態のときのみ自動的にくし板４を開放しゴミを撤去することができる。
【００１７】
以上の構成により、これまでの技術では不可能であったくし板と移動踏段の隙間より大きな異物を機械室内にや、前記の動作にて除去できなかった大きな異物を跳ね上げて除去することができる。
【符号の説明】
【００１８】
１  エスカレーター
２  乗降床
２Ａ  先端部
２Ｂ  平坦斜面
３  踏板
３Ａ  踏板の上面
３Ｂ  クリート溝
４  くし板
４Ａ  根元部
４Ｂ  歯先部
５  支点
６Ａ  電磁石
６Ｂ  鉄片
７  コイルばね
８  カバー
９  異物
１０  踏板の移動方向
【図１】
2014213948.tif 000003
【図２】
2014213948.tif 000004
【図３】
2014213948.tif 000005
【図４】
2014213948.tif 000006